【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
選択的に取り外し可能な相互係合締結システムであって、
物品の少なくとも第１部分を構成し、複数の係合部材が実質的に異方性を有する係合部分を含み、前記係合部分が実質的な最大係合軸を有する第１ファスナ部品と、
前記物品の少なくとも第２部分を構成する協働するファスナ部品と、
を備え、
それぞれの部品を、取り付け方向にほぼ沿って共に動かし重なり合う相互係合構成にすることにより、前記物品の第１及び第２部分を接合することができるようになっており、
前記第１ファスナ部品の実質的に最大係合軸が前記取り付け方向に対して直交するように方位付けられたことを特徴とする締結システム。
【請求項２】
各々の実質的に異方性の係合部材が、末端領域をもったステム部分と、対応するステム部分の末端領域に配設された固定要素とを有する請求項１に記載の締結システム。
【請求項３】
前記係合部分が最大係合軸と、ほぼ垂直な最小係合軸とを有する請求項１に記載の締結システム。
【請求項４】
前記協働するファスナ部品が実質的に異方性であり、実質的に最大係合軸を含む請求項１に記載の締結システム。
【請求項５】
前記実質的に異方性の係合部分の実質的に最大係合軸、及び前記実質的に異方性の協働するファスナの実質的に最大係合軸の両方が実質的に平行であり、各々が前記取り付け方向にほぼ直交するように方位付けられた請求項４に記載の締結システム。
【請求項６】
前記第１部分及び第２部分の少なくとも１つが、物品本体に取り付けられた固定端と自由端とを有するセグメントを備えた請求項１に記載の締結システム。
【請求項７】
前記協働するファスナ部品が不織ループ材料である請求項１に記載の締結システム。
【請求項８】
前記不織ループ材料がパターン・アンボンデッド材料である請求項７に記載の締結システム。
【請求項９】
前記物品を使い捨てに便利な構成で固定するように用いることができる請求項１に記載の締結システム。
【請求項１０】
前後の縦方向と、左右の横方向と、縦方向に延びる中心線とを有する物品であって、前記物品が第１物品部分と、第２物品部分と、前記第１物品部分を前記第２物品部分に固定するための少なくとも１つの選択的に取り外し可能な相互係合締結システムとを備え、
前記選択的に取り外し可能な相互係合する締結システムが、
前記第１物品部分の少なくとも一部分を構成し、複数の実質的に異方性の係合部材を有する係合部分を含み、前記係合部分が実質的に最大係合軸を有する第１ファスナ部品と、
前記第２物品部分の少なくとも一部分を構成する少なくとも一つの協働するファスナー部品と、
を備え、
取り付け方向にほぼ沿って一緒に動かし、重なり合う相互係合構成にすることによって、前記第１及び第２物品部分を、それぞれの部品を接合することができるようになっており、
前記第１ファスナ部品の実質的に最大係合軸が前記取り付け方向に対して直交するように方位付けられたことを特徴とする物品。
【請求項１１】
各々の実質的に異方性の係合部材が、末端領域をもったステム部分と、対応するステム部分の末端領域に配設された固定要素とを有する請求項１０に記載の物品。
【請求項１２】
前記係合部分が最大係合軸と、ほぼ垂直な最小係合軸とを有する請求項１０に記載の物品。
【請求項１３】
前記協働するファスナ部品が実質的に異方性であり、実質的に最大係合軸を含む請求項１０に記載の物品。
【請求項１４】
前記実質的に異方性の係合部分の実質的に最大係合軸、及び前記実質的に異方性の協働するファスナの実質的に最大係合軸の両方が実質的に平行であり、各々が前記取り付け方向にほぼ直交するように方位付けられた請求項１３に記載の物品。
【請求項１５】
前記第１部分及び第２部分の少なくとも１つが、物品本体に取り付けられた固定端と自由端とを有するセグメントを備えた請求項１０に記載の物品。
【請求項１６】
前記協働するファスナ部品が不織ループ材料である請求項１０に記載の物品。
【請求項１７】
前記不織ループ材料がパターン・アンボンデッド材料である請求項１６に記載の物品。
【請求項１８】
前記第１物品部分が第１ウエストバンド部分を形成し、前記第２物品部分が第２ウエストバンド部分を形成し、前記物品が前記第１及び第２ウエストバンド部分を相互連結する中間部分を有し、前記物品が、
裏面シート層と、
実質的に液体透過性の上面シート層と、
前記裏面シート層と前記上面シート層との間に挟まれた吸収体と、
をさらに備えた請求項１０に記載の物品。
【請求項１９】
前記第１物品部分及び前記第２物品部分の各々が、第１及び第２フラップ部分のそれぞれを形成し、各々のフラップ部分が自由端と、前記第１及び第２フラップ部分を相互連結する中間部分に取り付けられた固定端とを有し、前記物品が、
裏面シート層と、
実質的に液体透過性の上面シート層と、
前記裏面シート層と前記上面シート層との間に挟まれた吸収体と、
をさらに備えた請求項１０に記載の物品。
【請求項２０】
前記物品を使い捨てに便利な構成で固定するように用いることができる請求項１０に記載の物品。
【請求項２１】
前記物品は、生理用ナプキンを含むことを特徴とする請求項１０に記載の物品。
【請求項２２】
一対の端部縁と、前記端部縁の間に配置された第１の縦方向縁及び第２の縦方向縁とを有する生理用ナプキンであって、前記生理用ナプキンが、
前記第１の縦方向縁に隣接した前記生理用ナプキンの少なくとも第１の部分を構成し、複数の実質的に異方性の係合部材を有する係合部分を含み、前記係合部分が実質的な最大係合軸を有する第１ファスナ部品と、
前記第２の縦方向縁に隣接した前記生理用ナプキンの少なくとも第２の部分を構成する協働するファスナ部品を備え、
それぞれの部品を、取り付け方向にほぼ沿って一緒に動かし、重なり合う相互係合構成にすることにより、前記生理用ナプキンの第１及び第２部分を接合することができるようになっており、
前記第１ファスナ部品の実質的に最大係合軸が前記取り付け方向に対して直交するように方位付けられた、選択的に取り外し可能な相互係合締結システムを備えることを特徴とする生理用ナプキン。
【請求項２３】
一対の端部縁と、前記端部縁の間に配置された第１の縦方向縁及び第２の縦方向縁とを有する生理用ナプキンであって、前記生理用ナプキンが、
各々が固定端及び自由端を有し、前記生理用ナプキンの前記第１の縦方向縁から延びる第１ウイング及び前記生理用ナプキンの前記第２の縦方向縁から延びる第２ウイングと、
前記第１ウイングの少なくとも一部を構成し、複数の実質的に異方性の係合部材を有する係合部分を含み、前記係合部分が実質的な最大係合軸を有する第１ファスナ部品と、
前記第２ウイングの少なくとも一部を構成する協働するファスナ部品と、
を備え、
それぞれの部品を、取り付け方向にほぼ沿って一緒に動かし重なり合う相互係合構成にすることにより前記生理用ナプキンの第１及び第２ウイングを接合することができるようになっており、
前記第１ファスナ部品の実質的に最大係合軸が前記取り付け方向に対して直交するように方位付けられた選択的に取り外し可能な相互係合締結システムを含むことを特徴とする生理用ナプキン。
【請求項２４】
一対の端部縁と、前記端部縁の間に配置された第１の縦方向縁及び第２の縦方向縁とを有する生理用ナプキンであって、前記生理用ナプキンが、
各々が固定端及び自由端を有し、前記生理用ナプキンの前記第１の縦方向縁から延びる第１ウイング及び前記生理用ナプキンの前記第２の縦方向縁から延びる第２ウイングと、
前記第１ウイング及び前記第２ウイングの少なくとも一部を構成し、複数の実質的に異方性の係合部材を有する係合部分を含み、前記係合部分が実質的な最大係合軸を有する第１ファスナ部品と、
前記第１ウイング及び前記第２ウイングの少なくとも一部を構成する協働するファスナ部品と、
を備え、
それぞれの部品を、取り付け方向にほぼ沿って一緒に動かし重なり合う相互係合構成にすることにより、前記生理用ナプキンの第１及び第２ウイングを接合することができるようになっており、
前記第１ファスナ部品の実質的に最大係合軸が前記取り付け方向に対して直交するように方位付けられた選択的に取り外し可能な相互係合締結システムを含むことを特徴とする生理用ナプキン。